(57)【特許請求の範囲】
【請求項１】
上昇する水を濾過する浄水器において、上下方向の一部領域において焼結したセラミック粒子を移動自在の状態にて収容した複数個のパイプを用意し、かつ各パイプの下部において、パイプの長手方向中心軸に対し、斜交する方向の噴入孔を設け、水を該中心軸に対し、偏位した方向に噴入させる構成、又は該中心軸から偏位した位置に噴入孔を設け、水を偏位した位置から噴入させる構成の一方又は双方を採用することによって、各パイプ内のセラミック粒子を回転させることに基づくセラミック粒子を使用した浄水器。
【請求項２】
各パイプ及び当該各パイプをカバーする側壁につき、透明な素材を採用することを特徴とする請求項１記載のセラミック粒子を使用した浄水器。
【請求項３】
水平方向に隣接し合う各パイプの上下方向のレベルが相互に相違するように設計したことを特徴とする請求項１記載のセラミック粒子を使用した浄水器。
【請求項４】
上昇する水を濾過する浄水器において、浄水器の上下方向に沿った中心軸に対し、水平方向又は斜方向に一巡し、かつ複数個のセラミック粒子を移動自在の状態にて収容したパイプを設け、該パイプの下側に複数個の噴入孔を設けると共に、上側に複数個の噴出孔を設け、該複数個の噴入孔につき、接続するパイプの内側表面とそれぞれ斜交し、かつ該斜交する方向を時計方向又は反時計方向の何れか一方に揃えることによって、水を時計方向又は反時計方向の何れか一方方向に噴入させる構成、又は該複数個の噴出孔につき、接続するパイプの内側表面と斜交し、かつ斜交する方向を時計方向又は反時計方向に揃えた状態とし、水を時計方向又は反時計方向に噴出する構成の一方又は双方を採用することによって、水をパイプ内において流動させ、ひいてはセラミック粒子をパイプ内において巡回させることに基づくセラミック粒子を使用した浄水器。
【請求項５】
パイプ、及び当該パイプをカバーする側壁につき、透明な素材を採用したことを特徴とする請求項４記載のセラミック粒子を使用した浄水器。
【請求項６】
パイプが水の移動方向に沿って上昇する領域と下降する領域とを有していることを特徴とする請求項４記載のセラミック粒子を使用した浄水器。
【請求項７】
パイプを照射する照明器具を設けたことを特徴とする請求項２、５記載のセラミック粒子を使用した浄水器。
【請求項８】
照明器具は可視光線のみならず、紫外線をも発生することを特徴とする請求項７記載のセラミック粒子を使用した浄水器。
【発明の詳細な説明】
【０００１】
【発明の属する技術分野】
本発明は、内部にセラミック粒子を配置し、浄水に際して、セラミック粒子が含有しているカルシウム（Ｃａ）、マグネシウム（Ｍｇ）、亜鉛（Ｚｎ）などの有用成分（以下「有用成分」と略称する。）を速やかに分泌させることを可能とする浄水器の構成に関するものである。
【０００２】
【従来の技術】
浄水器の内部に有用成分を含有している無機物質を焼結したセラミック粒子又はセラミックの塊を配置し、当該有用成分を分泌させることは、浄水器の分野において、周知の技術的事項である。
【０００３】
しかしながら、従来の技術では、単に浄水器内において静的に配置されたセラミック粒子又はセラミックの塊の周囲を水が通過するだけであって、水の流動に伴って、セラミックから有用成分の分泌を積極的に促すことについては、何ら工夫されていなかった。
【０００４】
【発明が解決しようとする課題】
本発明は、前記の如き従来技術の問題点をクリアし、浄水器内のセラミック粒子につき、動的に運動させることによって、有用成分の分泌を積極的に促すことを可能とする浄水器の構成を、提供することを課題としている。
【０００５】
【課題を解決するための手段】
前記の課題を解決するため、本発明の構成は、
（１）上昇する水を濾過する浄水器において、上下方向の一部領域において焼結したセラミック粒子を移動自在の状態にて収容した複数個のパイプを用意し、かつ各パイプの下部において、パイプの長手方向中心軸に対し、斜交する方向の噴入孔を設け、水を該中心軸に対し、偏位した方向に噴入させる構成、又は該中心軸から偏位した位置に噴入孔を設け、水を偏位した位置から噴入させる構成の一方又は双方を採用することによって、各パイプ内のセラミック粒子を回転させることに基づくセラミック粒子を使用した浄水器、
（２）上昇する水を濾過する浄水器において、浄水器の上下方向に沿った中心軸に対し、水平方向又は斜方向に一巡し、かつ複数個のセラミック粒子を移動自在の状態にて収容したパイプを設け、該パイプの下側に複数個の噴入孔を設けると共に、上側に複数個の噴出孔を設け、該複数個の噴入孔につき、接続するパイプの内側表面とそれぞれ斜交し、かつ該斜交する方向を時計方向又は反時計方向の何れか一方に揃えることによって、水を時計方向又は反時計方向の何れか一方方向に噴入させる構成、又は該複数個の噴出孔につき、接続するパイプの内側表面と斜交し、かつ斜交する方向を時計方向又は反時計方向に揃えた状態とし、水を時計方向又は反時計方向に噴出する構成の一方又は双方を採用することによって、水をパイプ内において流動させ、ひいてはセラミック粒子をパイプ内において巡回させることに基づくセラミック粒子を使用した浄水器、
からなる。
【０００６】
【発明の実施の形態】
図１（ａ）、（ｂ）は、何れも、前記（１）の基本構成示しているが、浄水器１の上下方向の一部領域において複数本のパイプ２を設けており、かつ各パイプ２には、セラミック粒子３を移動自在の状態にて収容している。
【０００７】
パイプ２の長手方向は、通常浄水器１の上下方向と平行である場合が多いが、このような方向に限定される訳ではなく、例えば上下方向と斜交する方向の場合も設計可能である。
【０００８】
図１（ａ）は、パイプ２の下部において、パイプ２の長手方向中心軸に対し、斜交する方向の噴入孔２１を設け、水を中心軸から偏位した方向に噴入させる場合を示しており、
図１（ｂ）は、中心軸から偏位した位置に噴入孔２１を設け、水を偏位した位置から噴入させている。
【０００９】
このような構成の一方又は双方を採用することによって、パイプ２内に収容された各セラミック粒子３は、パイプ２の下部から噴入した水によって上側に持ち上げられる。
【００１０】
しかのみならず、噴入した水による押圧力は、セラミック粒子３の下方において、上記各偏位にて決して均一に生ずるのではなく、当該押圧力の中心方向が、図１（ｃ）に示すように、セラミック粒子の重心３１の位置を通過せずに、却って当該重心３１の位置から外れた状態となっているため、セラミック粒子３は回転モーメントを受け、結局パイプ２内において自転による回転運動を行い得ることになる（尚、図１（ｃ）の上側の図面は、図１（ａ）の構成に対応しており、図１（ｃ）の下側の図面は、図１（ｂ）の構成に対応している。）。
【００１１】
尚、パイプ２の中心軸は、パイプ２の長手方向と直交する断面における各中心位置による軌跡によって形成される。
【００１２】
そして、上記断面の中心位置は、下記▲１▼式及び▲２▼式に示すように、横方向に沿って、縦幅を順次積分した場合の横軸方向平均座標位置、及び縦方向に沿って横方向幅を順次積分した場合の縦軸方向平均座標位置によって特定される。
0003903417.tif 000002
【００１３】
このような回転によって、セラミック粒子３の表面と水との間に必然的に乱流が生ずると共に、セラミック粒子３がパイプ２の内側壁部との間で衝突又は摩擦を行う場合も生じ得る。
【００１４】
そして、これらの現象によって、セラミック粒子３の有用成分の分泌は、積極的に促されることになる。
【００１５】
セラミック粒子３の形状としては、水の噴入に伴って回転し得る形状であれば良く、例えば楕円形状、ダイヤモンド形状など前記回転運動を可能とする形状の何れをも採用することができるが、円滑な回転運動を実現するために、球状を採用することが望ましい。
【００１６】
図１（ａ）、（ｂ）においては、各パイプ２ごとにそれぞれセラミック粒子３を１個ずつ収容している場合を示すが、セラミック粒子３を２個以上収容することも不可能ではない。
【００１７】
２個以上収容した場合には、セラミック粒子３同士の衝突及び摩擦によって、有用成分の分泌が促されるが、セラミック粒子３の位置が上側となるに従って、水の流動状況が一様となり、押圧力の中心位置がセラミック粒子の重心の位置から外れる程度が減少するので、噴入する水によって、セラミック粒子３が回転する度合が低下する。
【００１８】
しかも、上側のセラミック粒子の重力３１によって、下側のセラミック粒子３を押圧され、当該下側のセラミック粒子３の回転が妨げられることに帰するので、収容するセラミック粒子３の数については、噴入する水の量及び圧力を考慮したうえで、適宜選択することが肝要である。
【００１９】
前記（１）の構成において、セラミック粒子３を収容したパイプ２を設ける上下方向の領域の位置は、特に限定される訳ではない。
【００２０】
但し、水の濾過が完了していないような領域にパイプ２を設けた場合には、パイプ２内において、セラミック粒子３から分泌された有用成分が更なる浄水工程を経ることによって濾過されてしまう危険性がある。
【００２１】
このような状況を考慮し、パイプ２は通常水の濾過が終了しているような領域、即ち浄水器の上側に設ける場合が多い。
【００２２】
図１（ａ）、（ｂ）には、各パイプ２を同一の高さレベルに設定しているが、前記（１）の構成は、必ずしもこのような同一高さレベルであることを必要とする訳ではない。
【００２３】
即ち、図１（ｄ）に示すように、パイプ２を設ける高さ位置を順次変化させるような設計も十分可能である。
【００２４】
図１（ａ）、（ｂ）では、パイプ２を設ける上下方向の領域を１個としているが、当該領域を２個以上とすることも十分可能であり、当該領域の数が多いほどセラミック粒子３からの有用成分の分泌量は増大する。
【００２５】
但し、浄水器１の高さには限界があり、当該領域の数が多いほど、濾過を行う領域１１が減少することになるので、水の濾過による浄水機能とのバランスを考慮したうえで前記領域の個数を適宜選択すれば良い。
【００２６】
図２（ａ）は、前記（２）の基本構成を示しており、図２（ｂ）の底面図、及び図２（ｃ）の上面図に示すように、浄水器の上下方向の中心軸１２に対し、水平方向又は斜方向に一巡するパイプを採用している（尚、図２（ａ）においては、水平方向に一巡する場合を示している。）。
【００２７】
当該パイプ２においては、図２（ａ）に示すように、下側に複数個の噴入孔２１を設け、上側に複数個の噴出孔２２を設けている。
【００２８】
前記（２）の構成においては、複数個の噴入孔２１につき、図２（ａ）、（ｂ）に示すように、接続するパイプ２の内側表面とそれぞれ斜交し、かつ該斜交する方向を時計方向又は反時計方向の何れか一方に揃えることによって、水を時計方向又は反時計方向の何れか一方方向に噴入させる構成、又は、図２（ａ）、（ｃ）に示すように、該複数個の噴出孔２２につき、接続するパイプ２の内側表面と斜交し、かつ斜交する方向を時計方向又は反時計方向に揃えた状態とし、水を時計方向又は反時計方向に噴出する構成の何れか又は双方を採用している（尚、図２（ｂ）は、噴入孔２１が時計方向に揃った状態にてパイプ２の下側内面と斜交した状態にて接続している場合を示しており、図２（ｃ）は、噴出孔２２が時計方向に揃った状態にてパイプ２の上側内面と斜交した状態にて接続している場合を示している。）。
【００２９】
このように、前記（２）の構成においては、水が時計方向又は反時計方向に噴入する場合、及びパイプ２から時計方向又は反時計方向に噴出する場合の何れにおいても、水はパイプ２内を時計方向又は反時計方向に流動することになり、パイプ２内に収容したセラミック粒子３もまた、時計方向又は反時計方向に巡回するという自転及び公転を行うことになる。
【００３０】
尚、セラミック粒子３の前記自転及び公転を効率的に実現するためには、水の上記噴入及び噴出の双方が可能となるように設計することが望ましい。
【００３１】
このようなセラミック粒子３の移動によって、セラミック粒子３の周囲には必然的に乱流が生ずると共に、セラミック粒子３間又はセラミック粒子３とパイプ２の内側壁部との間における衝突及び摩擦によって、セラミック粒子３における有用成分の分泌が積極的に促されることになる。
【００３２】
セラミック粒子３の形状としては、パイプ２内の移動が可能であるならば、どのような形状をも採用し得るか、球状が好ましいことについては、前記（１）の構成の場合と同様である。
【００３３】
図２（ａ）では、浄水器１の側部を一巡するパイプ２を同一の高さレベルに設計しているが、前記（２）の構成は、必ずしもこのような設計に限定される訳ではなく、水平方向と斜交する設計、更には図２（ｄ）に示すように、水が巡回する方向を基準とした場合、下降する領域及び上昇する領域によるジグザグ状の設計もまた可能である。
【００３４】
図２（ａ）は、パイプを１個設けた場合を示すが、当該パイプ２は１個である必要はなく、上下方向に沿って複数個設けることも可能であり、パイプ２を設ける数が多いほどセラミック粒子３からの有用成分の分泌効果を増大させることができる。
【００３５】
但し、浄水器１の高さには限界があり、パイプ２の個数が多い程濾過を行う領域１１が減少する以上、水の濾過による浄水機能とのバランスを考慮したうえで、前記個数を適宜選択すれば良い。
【００３６】
【実施例】
上記のように、本発明においては、セラミック粒子３は静的に配置されるのではなく、パイプ２内において所定の運動、即ち前記（１）の構成の場合には、パイプ２内における自転を行っており、前記（２）の場合にはパイプ２内を自転及び公転運動を行っているが、浄水器１においてこのような運動を行うことは、極めて視覚に訴えが、鑑賞上の効果を発生することが可能となる。
【００３７】
このため、実施例においては、各パイプ２及びパイプ２をカバーする側面壁部について透明な素材（実際にはプラスチックである場合が多い）を採用し、セラミック粒子３が運動する状況を内部から鑑賞可能としている。
【００３８】
特に、パイプ２を照射する照明器具を設けた場合には、暗闇中においてもセラミック粒子３の運動状況を鑑賞することが可能となる。
【００３９】
更には、照明器具が可視光線のみならず紫外線をも発生させた場合には、水の殺菌効果をも発揮することができる。
【００４０】
尚、パイプ２を照射する照明器具は、透明な素材による側面壁部の内側、外側、又はその近傍の何れにおいても設計可能であるが、内側に設けた場合には、照明器具が浄化する水と接触しないような設計上の工夫を行うことは当然に必要である。
【００４１】
【発明の効果】
前記（１）、（２）の構成による本発明においては、セラミック粒子の運動によってその中に含まれている有用成分の分泌を積極的に促し、これによって、浄水効果だけでなく、有用成分を身体に補給する効果を増大することが可能となる。
【００４２】
更には、実施例の構成においては、セラミック粒子の浄水器内における運動を鑑賞することもでき、ユーザーにおいては、単に健康上だけでなく、セラミック粒子のダイナミックな運動を楽しむという視覚上の効果をも奏することができる。
【００４３】
このような本発明は、従来の浄水器には見られない多面的な効果を有しており、その価値は絶大である。
【図面の簡単な説明】
【図１】前記（１）の構成を示しており、（ａ）は、水がパイプの中心軸の方向に対し、偏位した方向に噴入する場合の側断面図を示しており、（ｂ）は、水がパイプの中心軸の位置に対し、偏位した位置から噴入している場合を示す側面図であり、（ｃ）は、水の噴入による押圧力によってセラミック粒子が回転する原理を示す側面図であり（尚、太い点線による矢印は水の押圧力の中心方向を示しており、細線の矢印はセラミック粒子の回転方向を示す。）、（ｄ）は、パイプを設ける領域が上下方向に変化している場合を示す側面図である（尚、パイプが浄水器の内側に位置していることから、パイプについては、点線によって示している。）。
【図２】前記（２）の構成を示しており、（ａ）は、パイプにつき、一巡する方向に沿った断面図を示し、かつ濾過を行う領域につき、上下方向に沿った断面図を示しており、（ｂ）は、噴入孔の状況を示す底面図を示しており、（ｃ）は、噴出孔の状況を示す上面図を示しており、（ｄ）は、パイプを水の移動方向を基準とした場合、上昇及び下降を伴っているジグザグ形状とした場合の側面図を示している（尚、パイプが浄水器の内側に位置していることから、パイプについては、点線によって示している。）。
【符号の説明】
１  浄水器
１１  濾過を行う領域
１２  浄水器の上下方向中心軸
２  パイプ
２１  噴入孔
２２  噴出孔
２３  前記（１）の構成におけるパイプの中心軸
３  セラミック粒子
３１  セラミック粒子の重心
【図１】
0003903417.tif 000003
【図２】
0003903417.tif 000004